(57)【要約】    【課題】携帯機器に装着されて使用される可搬性を備えた小型磁気ディスク装置においては、低騒音、低消費電力であることが要求される。    【解決手段】プレス加工で箱形に成型された金属のベース・プレート２０の底部には、スピンドル・モータ３０（図２参照）が固定されており、スピンドル・モータ３０の軸受けには、流体軸受け（ＦＤＢ：Fluid Dynamic Bearing）３２が用いられる。ＦＤＢに軸支されたスピンドル・ハブ３１には、直径が１．８インチ（４５．７ｍｍ）以下の小型磁気ディスク４０が装着され、トップ・クランプ４１により固定される。スピンドル・モータ３０の回転数は４２００ｒｐｍ以下であり、磁気ヘッド５３に加える磁気ディスク方向へのグラムロードは０．５ｇｆ以上１．０ｇ未満である。【選択図】  図１
2005092910.tif 000002
【特許請求の範囲】
【請求項１】
流体軸受けにより回転軸が支持されたモータと、前記回転軸に装着された磁気ディスクと、該磁気ディスクに０．５ｇｆ以上１．０ｇｆ未満のグラムロードで対向し情報の記録又は再生あるいは記録及び再生を行う磁気ヘッドとを有することを特徴とする磁気ディスク装置。
【請求項２】
前記モータの回転数は４２００ｒｐｍ以下であり、前記磁気ディスクの直径は１インチ（２５．４ｍｍ）以下であることを特徴とする請求項１記載の磁気ディスク装置。
【請求項３】
前記磁気ヘッドは、長さが１．２５ｍｍ、幅が１ｍｍ、厚さが０．３ｍｍのスライダを含むことを特徴とする請求項１記載の磁気ディスク装置。
【請求項４】
前記磁気ヘッドは、長さが０．８５ｍｍ、幅が０．７ｍｍ、厚さが０．２３ｍｍのスライダを含むことを特徴とする請求項１記載の磁気ディスク装置。
【請求項５】
筐体部材と、該筐体部材に固定され流体軸受けにより回転軸が支持されたモータと、前記回転軸に装着された磁気ディスクと、前記筐体部材に軸支されサスペンション・アセンブリが取付けられたキャリッジ回転軸と、前記サスペンション・アセンブリに取付けられ０．５ｇｆ以上１．０ｇｆ未満のグラムロードで前記磁気ディスクの方向に押されている磁気ヘッドとを有することを特徴とする磁気ディスク装置。
【請求項６】
前記モータの回転数は４２００ｒｐｍ以下であり、前記磁気ディスクの直径は１インチ（２５．４ｍｍ）以下であることを特徴とする請求項５記載の磁気ディスク装置。
【請求項７】
前記磁気ヘッドは、長さが１．２５ｍｍ、幅が１ｍｍ、厚さが０．３ｍｍのスライダを含むことを特徴とする請求項５記載の磁気ディスク装置。
【請求項８】
前記磁気ヘッドは、長さが０．８５ｍｍ、幅が０．７ｍｍ、厚さが０．２３ｍｍのスライダを含むことを特徴とする請求項５記載の磁気ディスク装置。
【請求項９】
ベース・プレートと、該ベースプレートに固定され流体軸受けによりスピンドル・ハブが支持されたスピンドル・モータと、前記スピンドル・ハブに装着された磁気ディスクと、前記ベース・プレートに軸支されサスペンション・アセンブリが取付けられたキャリッジ回転軸と、前記サスペンション・アセンブリに取付けられ０．５ｇｆ以上１．０ｇｆ未満のグラムロードで前記磁気ディスクの方向に押されているスライダとを有することを特徴とする磁気ディスク装置。
【請求項１０】
前記スピンドル・モータの回転数は４２００ｒｐｍ以下であり、前記磁気ディスクの直径は１インチ（２５．４ｍｍ）以下であることを特徴とする請求項９記載の磁気ディスク装置。
【請求項１１】
前記スライダは、長さが１．２５ｍｍ、幅が１ｍｍ、厚さが０．３ｍｍであることを特徴とする請求項９記載の磁気ディスク装置。
【請求項１２】
前記スライダは、長さが０．８５ｍｍ、幅が０．７ｍｍ、厚さが０．２３ｍｍであることを特徴とする請求項９記載の磁気ディスク装置。
【請求項１３】
ベース・プレートと、該ベースプレートに固定され流体軸受けによりスピンドル・ハブが支持されたスピンドル・モータと、前記スピンドル・ハブに装着された磁気ディスクと、前記ベース・プレートに軸支されサスペンション・アセンブリが取付けられたキャリッジ回転軸と、前記サスペンション・アセンブリに取付けられ０．５ｇｆ以上１．０ｇｆ未満のグラムロードで前記磁気ディスクの方向に押されているスライダと、前記ベースプレートに固定され前記サスペンション・アセンブリを回転駆動するボイス・コイル・モータを有することを特徴とする磁気ディスク装置。
【請求項１４】
前記スピンドル・モータの回転数は４２００ｒｐｍ以下であり、前記磁気ディスクの直径は１インチ（２５．４ｍｍ）以下であることを特徴とする請求項１３記載の磁気ディスク装置。
【請求項１５】
前記スライダは、長さが１．２５ｍｍ、幅が１ｍｍ、厚さが０．３ｍｍであることを特徴とする請求項１３記載の磁気ディスク装置。
【請求項１６】
前記スライダは、長さが０．８５ｍｍ、幅が０．７ｍｍ、厚さが０．２３ｍｍであることを特徴とする請求項１３記載の磁気ディスク装置。
【請求項１７】
ベース・プレートと、スピンドル・ハブをラジアル軸受け部とスラスト軸受け部で支持する流体軸受けを内蔵する前記ベース・プレートに固定されたスピンドル・モータと、前記スピンドル・ハブに装着された磁気ディスクと、前記ベース・プレートに軸支されサスペンション・アセンブリが取付けられたキャリッジ回転軸と、前記サスペンション・アセンブリに取付けられ０．５ｇｆ以上１．０ｇｆ未満のグラムロードで前記磁気ディスクの方向に押されている磁気ヘッドとを有することを特徴とする磁気ディスク装置。
【請求項１８】
前記スピンドル・モータの回転数は４２００ｒｐｍ以下であり、前記磁気ディスクの直径は１インチ（２５．４ｍｍ）以下であることを特徴とする請求項１７記載の磁気ディスク装置。
【請求項１９】
前記磁気ヘッドは、長さが１．２５ｍｍ、幅が１ｍｍ、厚さが０．３ｍｍのスライダを含むことを特徴とする請求項１７記載の磁気ディスク装置。
【請求項２０】
前記磁気ヘッドは、長さが０．８５ｍｍ、幅が０．７ｍｍ、厚さが０．２３ｍｍのスライダを含むことを特徴とする請求項１７記載の磁気ディスク装置。
【発明の詳細な説明】
【技術分野】
【０００１】
本発明は小型磁気ディスク装置に係り、特にスピンドル・モータの軸受け部分に、流体軸受け（ＦＤＢ）を用いた低騒音、低消費電力の小型磁気ディスク装置に関する。
【背景技術】
【０００２】
従来より、パーソナル・コンピュータ(ＰＣ)やディジタル・カメラ等の各種機器において、取扱うデータを格納するために、可搬性を備えた記憶媒体が多種多様に提供されている。近年では、これらの記憶媒体の小型化、大容量化が図られており、例えば、小型メモリ・カードの規格の一つであるコンパクト・フラッシュ(Compact Flash:サンディスク社の商標)に準拠した、可搬性のある小型磁気ディスク装置の新しいアセンブリ構造が提案されている。
【０００３】
例えば、コンパクト・フラッシュType２規格の小型磁気ディスク装置では、サイズ１インチの磁気ディスクに１ＧＢの容量を持たせた、重さがわずか１６グラム程度の超小型かつ大容量の磁気ディスク装置も製品化されている。
【０００４】
特許文献１には、長手方向の寸法が４２．５ｍｍ、短手方向の寸法が３６ｍｍ、厚さ方向の寸法が５ｍｍの外形を有する超小型磁気ディスク装置が開示されている。このような可搬性のある超小型磁気ディスク装置においても、データを格納する磁気ディスクだけではなく、磁気ディスクを回転駆動させるスピンドル・モータ、磁気ディスクに対しデータを読み書きする磁気ヘッド、磁気ヘッドを支持するサスペンション・アセンブリ、サスペンション・アセンブリを支持し磁気ディスクの径方向に駆動するアクチュエータ等を備えている。
【０００５】
【特許文献１】特開２００２−１５５５３号公報(第４−５頁、図１、図３)
【発明の開示】
【発明が解決しようとする課題】
【０００６】
携帯機器に装着されて使用される可搬性を備えた小型磁気ディスク装置においては、低騒音、低消費電力であることが重要である。特許文献１には、小型磁気ディスク装置を外部からの衝撃に対して保護する技術は開示されているが、低騒音、低消費電力を実現するための技術については開示されていない。
【０００７】
本発明の目的は、低騒音、低消費電力の小型磁気ディスク装置を提供することである。
【課題を解決するための手段】
【０００８】
上記目的を達成するために、本発明の磁気ディスク装置においては、流体軸受けにより回転軸が支持されたモータと、前記回転軸に装着された磁気ディスクと、該磁気ディスクに０．５ｇｆ以上１．０ｇｆ未満のグラムロードで対向し情報の記録又は再生あるいは記録及び再生を行う磁気ヘッドとを有する。
前記モータの回転数は４２００ｒｐｍ以下であり、前記磁気ディスクの直径は１インチ（２５．４ｍｍ）以下であることが望ましい。
前記磁気ヘッドは、長さが１．２５ｍｍ、幅が１ｍｍ、厚さが０．３ｍｍのスライダを含む。
または、前記磁気ヘッドは、長さが０．８５ｍｍ、幅が０．７ｍｍ、厚さが０．２３ｍｍのスライダを含む。
【０００９】
上記目的を達成するために、本発明の磁気ディスク装置においては、筐体部材と、該筐体部材に固定され流体軸受けにより回転軸が支持されたモータと、前記回転軸に装着された磁気ディスクと、前記筐体部材に軸支されサスペンション・アセンブリが取付けられたキャリッジ回転軸と、前記サスペンション・アセンブリに取付けられ０．５ｇｆ以上１．０ｇｆ未満のグラムロードで前記磁気ディスクの方向に押されている磁気ヘッドとを有する。
前記モータの回転数は４２００ｒｐｍ以下であり、前記磁気ディスクの直径は１インチ（２５．４ｍｍ）以下であることが望ましい。
前記磁気ヘッドは、長さが１．２５ｍｍ、幅が１ｍｍ、厚さが０．３ｍｍのスライダを含む。
または、前記磁気ヘッドは、長さが０．８５ｍｍ、幅が０．７ｍｍ、厚さが０．２３ｍｍのスライダを含む。
【００１０】
上記目的を達成するために、本発明の磁気ディスク装置においては、ベース・プレートと、該ベース・プレートに固定され流体軸受けによりスピンドル・ハブが支持されたスピンドル・モータと、前記スピンドル・ハブに装着された磁気ディスクと、前記ベース・プレートに軸支されサスペンション・アセンブリが取付けられたキャリッジ回転軸と、前記サスペンション・アセンブリに取付けられ０．５ｇｆ以上１．０ｇｆ未満のグラムロードで前記磁気ディスクの方向に押されているスライダとを有する。
前記スピンドル・モータの回転数は４２００ｒｐｍ以下であり、前記磁気ディスクの直径は１インチ（２５．４ｍｍ）以下であることが望ましい。
前記スライダは、長さが１．２５ｍｍ、幅が１ｍｍ、厚さが０．３ｍｍである。
または、前記スライダは、長さが０．８５ｍｍ、幅が０．７ｍｍ、厚さが０．２３ｍｍである。
【００１１】
上記目的を達成するために、本発明の磁気ディスク装置においては、ベース・プレートと、該ベース・プレートに固定され流体軸受けによりスピンドル・ハブが支持されたスピンドル・モータと、前記スピンドル・ハブに装着された磁気ディスクと、前記ベース・プレートに軸支されサスペンション・アセンブリが取付けられたキャリッジ回転軸と、前記サスペンション・アセンブリに取付けられ０．５ｇｆ以上１．０ｇｆ未満のグラムロードで前記磁気ディスクの方向に押されているスライダと、前記ベース・プレートに固定され前記サスペンション・アセンブリを回転駆動するボイス・コイル・モータを有する。
前記スピンドル・モータの回転数は４２００ｒｐｍ以下であり、前記磁気ディスクの直径は１インチ（２５．４ｍｍ）以下であることが望ましい。
前記スライダは、長さが１．２５ｍｍ、幅が１ｍｍ、厚さが０．３ｍｍである。
または、前記スライダは、長さが０．８５ｍｍ、幅が０．７ｍｍ、厚さが０．２３ｍｍである。
【００１２】
上記目的を達成するために、本発明の磁気ディスク装置においては、ベース・プレートと、スピンドル・ハブをラジアル軸受け部とスラスト軸受け部で支持する流体軸受けを内蔵する前記ベース・プレートに固定されたスピンドル・モータと、前記スピンドル・ハブに装着された磁気ディスクと、前記ベース・プレートに軸支されサスペンション・アセンブリが取付けられたキャリッジ回転軸と、前記サスペンション・アセンブリに取付けられ０．５ｇｆ以上１．０ｇｆ未満のグラムロードで前記磁気ディスクの方向に押されているスライダとを有する。
前記スピンドル・モータの回転数は４２００ｒｐｍ以下であり、前記磁気ディスクの直径は１インチ（２５．４ｍｍ）以下である。
前記スライダは、長さが１．２５ｍｍ、幅が１ｍｍ、厚さが０．３ｍｍである。
または、前記スライダは、長さが０．８５ｍｍ、幅が０．７ｍｍ、厚さが０．２３ｍｍである。
【発明の効果】
【００１３】
本発明によれば、低騒音、低消費電力の小型磁気ディスク装置を提供することができる。
【発明を実施するための最良の形態】
【００１４】
以下、図面を参照して本発明の最良の実施の形態について詳細に説明する。図１に本発明の一実施例による小型磁気ディスク装置１０の構成を示す。装置の外形寸法は、４２．８ｍｍ×３６．４ｍｍ×５ｍｍであり、記録媒体としての磁気ディスク４０の直径は１インチ（２５．４ｍｍ）である。プレス加工で箱形に成型された筐体部材としての金属のベース・プレート２０の底部には、スピンドル・モータ３０（図２参照）が固定されており、スピンドル・モータ３０に内蔵される軸受けには、流体軸受け（ＦＤＢ：Fluid Dynamic Bearing）３２が用いられる。ＦＤＢに軸支されたスピンドル・ハブ３１には磁気ディスク４０が装着され、トップ・クランプ４１により固定される。
【００１５】
ベース・プレート２０の底部に軸支されたキャリッジ回転軸５４にはサスペンション・アセンブリを構成するヘッド・アーム５０が取付けられる。ヘッド・アーム５０にはフレクシャー５１が接続され、フレクシャー５１にはロード・ビーム５２が接続される。フレクシャー５１の先端部にはジンバル部が形成されており、ジンバル部にはスライダを含む磁気ヘッド５３が取付けられる。フレクシャー５１はヘッド・アーム５０との接続部とロード・ビーム５２との接続部の間にバネ部を有し、磁気ヘッド５３に与える荷重（グラムロード）を発生する。フレクシャー５１のバネ部で発生したグラムロードは、梁として機能するロード・ビーム５２を介して磁気ヘッド５３に加えられ、磁気ヘッド５３は磁気ディスク４０の方向に押付けられる。
【００１６】
ヘッド・アーム５０は、ベース・プレート２０の底部に固定されたボイス・コイル・モータ（ＶＣＭ）５５により回転駆動される。ヘッド・アーム５０が回転駆動されることで、フレクシャー５１のジンバル部に保持された磁気ヘッド５３が、磁気ディスク４０の半径方向に移動され、所望の記録トラックに位置決めされ、情報の記録又は再生あるいは記録・再生が行われる。磁気ヘッド５３からの信号は、ＦＣ（Flex cable）を経由してインタフェース・コネクタ６０に伝送され、インタフェース・コネクタ６０は磁気ヘッド５３からの信号を装置外部へ伝送する。
【００１７】
ベース・プレート２０の周囲は、弾性部材からなるフレーム・バンパ７０に覆われている。フレーム・バンパ７０は、衝撃緩衝材としての機能を有し、コンパクト・フラッシュType-２として必要なサイド・スロット８０を有する１つの成型部品である。ベース・プレート２０の周囲(外形の２次元方向である側面)をフレーム・バンパ７０とインタフェース・コネクタ６０で覆うことで、側面方向の衝撃に対して、小型磁気ディスク装置１０を保護することが可能となる。
【００１８】
図２はスピンドル・モータ３０の断面図である。磁気ディスク４０を装着するスピンドル・ハブ３１は、流体軸受け（ＦＤＢ：Fluid Dynamic Bearing）３２のスラスト軸受け部３３とラジアル軸受け部３４に支持され、永久磁石３５と電磁石３６によって回転駆動され、スリーブから浮き上がるように構成されている。
【００１９】
低騒音、低消費電力を実現するためには、スピンドル・モータ３０の軸受けにＦＤＢ３２を使用し、且つ、スピンドル・モータ３０の回転数を下げる必要がある。スピンドル・モータ３０の回転数は４２００ｒｐｍ以下が望ましく、本実施例においては３６００ｒｐｍとした。スピンドル・モータ３０の回転数を下げた場合、磁気ヘッド５３を介して磁気ディスク４０に加わるグラムロードにより磁気ディスク４０が傾き、スピンドル・モータ３０のスピンドル・ハブ３１とステ−タがスラスト軸受け部３３の部分で片当たりして軸受けが損傷したり、スピンドル・モータ３０が回転できなくなったりするなどの問題が発生する。
【００２０】
そこで本実施例においては、上記磁気ヘッド５３に加える磁気ディスク方向へのグラムロードを０．５ｇｆ以上１．０ｇｆ未満に設定した。この低荷重のグラムロードは、上記サスペンション・アセンブリのヘッド・アーム５０とロード・ビーム５２を接続するフレクシャー５１のバネ部で発生している。フレクシャー５１はジンバル部を形成する金属の薄板であり、このフレクシャー５１の一部をバネ部とすることにより、上記０．５ｇｆ以上１．０ｇｆ未満という低荷重のグラムロードを達成することができる。グラムロードが小さすぎると、外部からのわずかな衝撃で磁気ヘッド５３が振動し、磁気ディスク４０に衝突するので、０．５ｇｆ以上であることが望ましい。
【００２１】
磁気ヘッド５３を構成するスライダは、ピコ・スライダあるいはフェムト・スライダが
適当である。ピコ・スライダの寸法は、長さが１．２５ｍｍ、幅が１ｍｍ、厚さが０．３ｍｍである。フェムト・スライダの寸法は、長さが０．８５ｍｍ、幅が０．７ｍｍ、厚さが０．２３ｍｍである。磁気ヘッドの浮上の安定性を重視する場合はピコ・スライダが良く、磁気ディスクの記録領域を広げるためには、フェムト・スライダが適当である。
【００２２】
上記実施例では、磁気ディスクとして１インチサイズの磁気ディスクを用いたが、携帯機器への適用を考慮すると、ディスクのサイズは１．８インチ（直径４５．７ｍｍ）以下であれば良い。これは、必要とする記憶容量との関係もあるが、記録密度が向上すれば磁気ディスクの径はさらに小さくすることができる。
【００２３】
以上の本発明の一実施例によれば、スピンドル・モータの軸受けにＦＤＢを採用し、小径の小型磁気ディスクを搭載し、磁気ヘッドのグラムロードを１．０ｇｆ未満にすることで、スピンドル・モータの回転数を下げても磁気ディスクを安定に回転させることができるので、低騒音、低消費電力の小型磁気ディスク装置を実現することができる。
【図面の簡単な説明】
【００２４】
【図１】本発明の一実施例による小型磁気ディスク装置の構成を示す斜視図である。
【図２】本発明の一実施例による小型磁気ディスク装置のスピンドル・モータの断面図である。
【符号の説明】
【００２５】
１０…小型磁気ディスク装置、２０…ベース・プレート、３０…スピンドル・モータ、
３１…スピンドル・ハブ、３２…流体軸受け（ＦＤＢ）、３３…スラスト軸受け部、
３４…ラジアル軸受け部、３５…永久磁石、３６…電磁石、４０…磁気ディスク、
４１…トップ・クランプ、５０…ヘッド・アーム、５１…フレクシャー、
５２…ロード・ビーム、５３…磁気ヘッド、５４…キャリッジ回転軸、５５…ＶＣＭ、
６０…インタフェース・コネクタ、７０…フレーム・バンパ、８０…サイド・スロット。
【図１】
2005092910.tif 000003
【図２】
2005092910.tif 000004